(57)【要約】【課題】バックルを備えたタイプの生体情報測定装置において、第２板枠部材の他端部とベルトの先端部との位置調整について改善すること。【解決手段】バックル３０は、第２板枠部材３０ｂの他端部ｈに、固定された板状の第１プレート部３５と、回動可能に設けられた板状の第２プレート部３６とを備える。第２プレート部３６は、第１プレート部３５の外面に重なったとき、第１プレート部３５を越えて延在するはみ出し部分３６ｈを有する。はみ出し部分３６ｈのうち、第１プレート部３５の外面に重なったとき内面となる側に、第１固定要素３２が設けられている。ベルトの先端部の外面に、第１固定要素３２と係合し得る第２固定要素２５が設けられている。第１プレート部３５に、第１係合用突片３５ｃが設けられるとともに、第２プレート部３６に、厚さ方向に関して第１係合用突片３５ｃと重なって係合し得る第２係合用突片３６ｃが設けられている。【選択図】図６Ｃ
2019162249.tif 000002
【特許請求の範囲】
【請求項１】
棒状の被測定部位を取り巻いて装着される生体情報測定装置であって、
上記被測定部位を取り巻くべき帯状のベルトと、
上記ベルトの長手方向に関して基端部に配置された、生体情報を測定する要素を搭載した本体と、
上記ベルトが環状になるように、上記ベルトの長手方向に関して上記基端部と反対側の先端部とを連結するためのバックルとを備え、
上記バックルは、
上記ベルトの上記基端部の内面側で、上記ベルトの長手方向に対して交差する軸の周りに回動可能に一端部で取り付けられた第１板枠部材を備え、この第１板枠部材は上記一端部から反対側の他端部へ板状に延在し、
上記第１板枠部材の上記他端部に、上記軸と平行な軸の周りに回動可能に一端部で取り付けられた第２板枠部材を備え、この第２板枠部材は上記一端部から反対側の他端部へ板状に延在し、この第２板枠部材の上記他端部が上記ベルトの上記先端部に取り付け可能に構成されており、
上記第２板枠部材の上記他端部に、この第２板枠部材に一体に固定された板状の第１プレート部と、上記軸と平行な、上記他端部の最先端に位置する回動軸の周りに回動可能に取り付けられた板状の第２プレート部とを備え、
上記第２プレート部は、上記第１プレート部の外面に重なったとき、上記第１プレート部を越えて上記第２板枠部材の上記一端部の側へ延在するはみ出し部分を有し、
上記はみ出し部分のうち、上記第１プレート部の外面に重なったとき内面となる側に、第１固定要素が設けられるとともに、上記ベルトの上記先端部の外面に、上記第１固定要素と係合し得る第２固定要素が設けられ、
上記第１プレート部のうち上記第２板枠部材の上記一端部に近い側の端辺の特定部分に、第１係合用突片が設けられるとともに、上記第２プレート部のうち上記第１係合用突片に対応する部分に、厚さ方向に関して上記第１係合用突片と重なって係合し得る第２係合用突片が設けられていることを特徴とする生体情報測定装置。
【請求項２】
請求項１に記載の生体情報測定装置において、
上記ベルトの外面のうちこのベルトの幅方向に関して上記第１および第２係合用突片に対応する部分に、上記第１および第２係合用突片との干渉を避けるための断面凹状の溝が上記長手方向に沿って延在して設けられていることを特徴とする生体情報測定装置。
【請求項３】
請求項２に記載の生体情報測定装置において、
上記ベルトの外面の上記溝の底に、上記ベルトの上記先端部の位置調節用のマークが設けられていることを特徴とする生体情報測定装置。
【請求項４】
請求項１から３までのいずれか一つに記載の生体情報測定装置において、
上記はみ出し部分の最先端に、上記第２プレート部を上記回動軸の周りに回動させるための操作用突起が設けられていることを特徴とする生体情報測定装置。
【請求項５】
請求項１から４までのいずれか一つに記載の生体情報測定装置において、
上記第１プレート部の外面に第１ロック要素が設けられるとともに、上記第２プレート部のうち上記第１プレート部の外面と重なったとき上記第１ロック要素に対応する部分に切り欠きまたは開口が設けられ、
上記ベルトの上記基端部の内面側または上記第１板枠部材の上記一端部に第２ロック要素が設けられ、
上記第２プレート部が上記第１プレート部の外面に重なり、かつ、上記本体の内面、上記バックルの上記第１板枠部材および上記第２板枠部材が重なるように折り畳まれた装着状態で、上記第２プレート部の上記切り欠きまたは開口を通して、上記第１ロック要素と上記第２ロック要素とが互いに吸着および／または係合することを特徴とする生体情報測定装置。
【請求項６】
請求項１から５までのいずれか１つに記載の生体情報測定装置において、
上記第２固定要素は、上記ベルトの長手方向に関して上記第２板枠部材の上記他端部の取り付け位置を調整可能にするように、上記ベルトの長手方向に沿って複数並べて形成されていることを特徴とする生体情報測定装置。
【請求項７】
請求項１から６までのいずれか１つに記載の生体情報測定装置において、
上記第２板枠部材の上記他端部の幅方向に関して両側に、上記ベルトの上記先端部が上記第２板枠部材の内面に沿って挿入されるのを許容するとともに上記内面から離間するのを規制する一対のフック部が設けられていることを特徴とする生体情報測定装置。
【発明の詳細な説明】
【技術分野】
【０００１】
この発明は生体情報測定装置に関し、より詳しくは、例えば手首などの棒状の被測定部位に装着される生体情報測定装置に関する。
【背景技術】
【０００２】
従来、この種の生体情報測定装置としては、例えば特許文献１（特許第６１７２３４１号明細書）に開示されているように、被測定部位を取り巻くべき帯状のベルトと、上記ベルトの長手方向に関して基端部に配置された、生体情報を測定する要素を搭載した本体と、上記ベルトが環状になるように、上記ベルトの長手方向に関して上記基端部と反対側の先端部とを連結するためのバックルとを備えたものが知られている。
【０００３】
上記バックルは、上記ベルトの上記基端部の内面側で、上記ベルトの長手方向に対して交差する軸の周りに回動可能に一端部で取り付けられた第１板枠部材を備え、この第１板枠部材は上記一端部から反対側の他端部へ板状に延在している。また、上記バックルは、上記第１板枠部材の上記他端部に、上記軸と平行な軸の周りに回動可能に一端部で取り付けられた第２板枠部材を備え、この第２板枠部材は上記一端部から反対側の他端部へ板状に延在している。この第２板枠部材の上記他端部が上記ベルトの上記先端部に取り付け可能に構成されている。
【０００４】
上記生体情報測定装置の使用に際して、ユーザは、上記第２板枠部材の上記他端部を上記ベルトの上記先端部に取り付けて、上記ベルトを環状にする。上記本体と上記バックルの上記第１板枠部材と上記第２板枠部材とが互いに開いた状態で、ユーザは上記ベルトの環に手を通し、続いて、上記本体と上記バックルの上記第１板枠部材と上記第２板枠部材とを互いに折り畳む。これによって、ユーザは上記生体情報測定装置（ベルトと本体を含む）を手首に装着することができる。
【先行技術文献】
【特許文献】
【０００５】
【特許文献１】特許第６１７２３４１号明細書
【発明の概要】
【発明が解決しようとする課題】
【０００６】
ところで、ユーザが上記生体情報測定装置を手首に取り付け又は手首から取り外す際に、つまり、上記本体と上記バックルの上記第１板枠部材と上記第２板枠部材とを互いに開いた状態で上記ベルトの環に手を通したり、上記ベルトの環から手を引き抜いたりする際に、ベルトの環の内面に手（拳）を擦る結果、上記第２板枠部材の上記他端部が上記ベルトの上記先端部に対して、調整済みの位置から上記ベルトの環が広がる向きに位置ずれすることがある。この結果、上記生体情報測定装置では、ユーザが元の取付位置（調整済みの位置）を見失う可能性がある。
【０００７】
そこで、この発明の課題は、上述のバックルを備えたタイプの生体情報測定装置であって、上記第２板枠部材の上記他端部と上記ベルトの上記先端部との位置調整について改善された生体情報測定装置を提供することにある。
【課題を解決するための手段】
【０００８】
上記課題を解決するため、この開示の生体情報測定装置は、
棒状の被測定部位を取り巻いて装着される生体情報測定装置であって、
上記被測定部位を取り巻くべき帯状のベルトと、
上記ベルトの長手方向に関して基端部に配置された、生体情報を測定する要素を搭載した本体と、
上記ベルトが環状になるように、上記ベルトの長手方向に関して上記基端部と反対側の先端部とを連結するためのバックルとを備え、
上記バックルは、
上記ベルトの上記基端部の内面側で、上記ベルトの長手方向に対して交差する軸の周りに回動可能に一端部で取り付けられた第１板枠部材を備え、この第１板枠部材は上記一端部から反対側の他端部へ板状に延在し、
上記第１板枠部材の上記他端部に、上記軸と平行な軸の周りに回動可能に一端部で取り付けられた第２板枠部材を備え、この第２板枠部材は上記一端部から反対側の他端部へ板状に延在し、この第２板枠部材の上記他端部が上記ベルトの上記先端部に取り付け可能に構成されており、
上記第２板枠部材の上記他端部に、この第２板枠部材に一体に固定された板状の第１プレート部と、上記軸と平行な、上記他端部の最先端に位置する回動軸の周りに回動可能に取り付けられた板状の第２プレート部とを備え、
上記第２プレート部は、上記第１プレート部の外面に重なったとき、上記第１プレート部を越えて上記第２板枠部材の上記一端部の側へ延在するはみ出し部分を有し、
上記はみ出し部分のうち、上記第１プレート部の外面に重なったとき内面となる側に、第１固定要素が設けられるとともに、上記ベルトの上記先端部の外面に、上記第１固定要素と係合し得る第２固定要素が設けられ、
上記第１プレート部のうち上記第２板枠部材の上記一端部に近い側の端辺の特定部分に、第１係合用突片が設けられるとともに、上記第２プレート部のうち上記第１係合用突片に対応する部分に、厚さ方向に関して上記第１係合用突片と重なって係合し得る第２係合用突片が設けられていることを特徴とする。
【０００９】
本明細書で、「基端部」、「先端部」、「一端部」、「他端部」は、それぞれ基端、先端、一端、他端自体に限られず、或る範囲の部分を指していてもよい。これに対して、「最先端」は、実質的に先端を指す。
【００１０】
また、「内面」とは、この生体情報測定装置が被測定部位を取り巻いて装着された状態で、被測定部位側となる面を指す。「外面」とは、この生体情報測定装置が被測定部位を取り巻いて装着された状態で、上記内面の反対側となる面を指す。
【００１１】
また、「生体情報」とは、血圧値、脈拍値、活動量、血中酸素濃度値などを広く含む。
【００１２】
この開示の生体情報測定装置では、上記被測定部位を取り巻くべき帯状のベルトの長手方向に関して基端部に生体情報を測定する要素を搭載した本体が配置され、上記ベルトが環状になるように、上記ベルトの長手方向に関して上記基端部と反対側の先端部とを連結するためのバックルを備える。さらに、上記バックルは、上記ベルトの上記先端部に取り付け可能な第２板枠部材と上記第２板枠部材及び上記本体に連結される第１板枠部材とを備える。
【００１３】
この生体情報測定装置をユーザが手首に装着する際には、例えば次の装着手順（ａ）〜（ｃ）で装着される。
（ａ）  まず、上記本体と上記バックル３０の第１板枠部材と第２板枠部材とが互いに開いた状態で、ユーザは、上記第２プレート部を上記第１プレート部に対して開いた状態（重なっていない状態）にする。これとともに、上記第２板枠部材の内面に沿って上記ベルトの上記先端部を配する。この状態では、上記第２板枠部材の上記他端部と上記ベルトの上記先端部とは固定されていない。したがって、ユーザは上記第２板枠部材の内面に沿って上記ベルトの上記先端部を上記長手方向にスライドさせることができ、上記第２板枠部材の上記他端部と上記ベルトの上記先端部との位置調整を容易に行うことができる。これにより、被測定部位の周囲長に丁度合うように、上記ベルトの環の長さが可変して設定され得る。
（ｂ）  このようにして上記第２板枠部材の上記他端部と上記ベルトの上記先端部との位置調整が終わると、続いて、ユーザは、上記第２プレート部を上記回動軸の周りに回転させて、上記第２プレート部を上記第１プレート部に対して閉じる。すると、上記はみ出し部分の内面となる側に設けられた第１固定要素が上記ベルトの上記先端部の外面に設けられた第２固定要素と係合する。これにより、第２板枠部材の上記他端部が上記ベルトの上記先端部に取り付けられる。このとき、上記第１プレート部のうち上記第２板枠部材の上記一端部に近い側の端辺の特定部分に設けられた第１係合用突片と、上記第２プレート部のうち上記第１係合用突片に対応する部分に設けられた第２係合用突片とが、厚さ方向に関して重なって係合する。したがって、上記第２プレート部が不用意に上記第１プレート部に対して開くことがなく、上記第２板枠部材の上記他端部と上記ベルトの上記先端部との係合が維持される。これにより、上記第２板枠部材の上記他端部と上記ベルトの上記先端部との位置ずれが防止される。
（ｃ）  この後、上記ベルトが環状になっており、かつ、上記本体と上記バックルの上記第１板枠部材と上記第２板枠部材とが互いに開いた状態で、ユーザが上記ベルトの環に手を通し、続いて、上記本体と上記バックルの上記第１板枠部材と上記第２板枠部材とを互いに折り畳む。これによって、ユーザは生体情報測定装置を容易に手首に装着することが可能となる。
【００１４】
また、一実施形態の生体情報測定装置では、上記ベルトの外面のうちこのベルトの幅方向に関して上記第１および第２係合用突片に対応する部分に、上記第１および第２係合用突片との干渉を避けるための断面凹状の溝が上記長手方向に沿って延在して設けられていることを特徴とする。
【００１５】
この一実施形態の生体情報測定装置では、上記断面凹状の溝によって、上記ベルトの外面と上記第１および第２係合用突片との干渉が避けられる。この結果、この生体情報測定装置のうち上記本体、上記バックルおよび上記ベルトが重なる部分の厚さを全体として低減することが可能になる。
【００１６】
また、一実施形態の生体情報測定装置では、上記ベルトの外面の上記溝の底に、上記ベルトの上記先端部の位置調節用のマークが設けられていることを特徴とする。
【００１７】
この一実施形態の生体情報測定装置では、ユーザが上記第１プレート部の内面に沿って上記ベルトの上記先端部を上記長手方向にスライドさせて、上記第２板枠部材の上記他端部と上記ベルトの上記先端部との位置調整を行う際（上記装着手順（ａ））に、上記位置調節用のマークを基準として位置調整を行える。したがって、正確に、再現性良く位置調整を行える。また、上記マークは、上記ベルトの先端部の外面に形成された断面凹状の溝の底に設けられている。したがって、この生体情報測定装置の使用に伴って、上記ベルトの外面が外部と接触等したとしても、上記マークが剥がれてしまうような事態を避け得る。
【００１８】
また、一実施形態の生体情報測定装置では、上記はみ出し部分の最先端に、上記第２プレート部を上記回動軸の周りに回動させるための操作用突起が設けられていることを特徴とする。
【００１９】
この一実施形態の生体情報測定装置では、ユーザが上記はみ出し部分の最先端に設けられた操作用突起に指を掛けることによって、上記第２プレート部を上記回動軸の周りに容易に回動させることができる。
【００２０】
また、一実施形態の生体情報測定装置では、
上記第１プレート部の外面に第１ロック要素が設けられるとともに、上記第２プレート部のうち上記第１プレート部の外面と重なったとき上記第１ロック要素に対応する部分に切り欠きまたは開口が設けられ、
上記ベルトの上記基端部の内面側または上記第１板枠部材の上記一端部に第２ロック要素が設けられ、
上記第２プレート部が上記第１プレート部の外面に重なり、かつ、上記本体の内面、上記バックルの上記第１板枠部材および上記第２板枠部材が重なるように折り畳まれた装着状態で、上記第２プレート部の上記切り欠きまたは開口を通して、上記第１ロック要素と上記第２ロック要素とが互いに吸着および／または係合することを特徴とする。
【００２１】
この一実施形態の生体情報測定装置では、上記本体と上記バックルの上記第１板枠部材と上記第２板枠部材とを互いに折り畳む際（上記装着手順（ｃ））に、上記第２プレート部の上記切り欠きまたは開口を通して、上記第１ロック要素と上記第２ロック要素とが互いに吸着および／または係合する。これにより、上記バックルが不用意に開いてしまう事態が防止される。なお、これらの吸着および／または係合を解除するためのアンロック機構を含むのが望ましい。
【００２２】
また、一実施形態の生体情報測定装置では、上記第２固定要素は、上記ベルトの長手方向に関して上記第２板枠部材の上記他端部の取り付け位置を調整可能にするように、上記ベルトの長手方向に沿って複数並べて形成されていることを特徴とする。
【００２３】
この一実施形態の生体情報測定装置では、上記第２固定要素は、上記ベルトの長手方向に沿って複数並べて形成されている。従って、ユーザが上記第１プレート部の内面に沿って上記ベルトの上記先端部を上記長手方向にスライドさせて、上記第２板枠部材の上記他端部と上記ベルトの上記先端部との位置調整を行う際（上記装着手順（ａ））に、上記複数の第２固定要素のうち上記第２プレート部の第１固定要素が丁度合うものを選択できる。これにより、被測定部位の周囲長に丁度合うように、上記ベルトの環の長さを可変して設定できる。
【００２４】
また、一実施形態の生体情報測定装置では、上記第２板枠部材の上記他端部の幅方向に関して両側に、上記ベルトの上記先端部が上記第２板枠部材の内面に沿って挿入されるのを許容するとともに上記内面から離間するのを規制する一対のフック部が設けられていることを特徴とする。
【００２５】
この一実施形態の生体情報測定装置では、ユーザが上記第２板枠部材の内面に沿って上記ベルトの上記先端部を上記長手方向にスライドさせて、上記第２板枠部材の上記他端部と上記ベルトの上記先端部との位置調整を行う際（上記装着手順（ａ））に、上記一対のフック部は、上記ベルトの上記先端部が上記第２板枠部材の内面に沿って挿入されるのを許容するとともに上記内面から離間するのを規制する。この結果、上記第２板枠部材の内面から上記ベルトの上記先端部が離間することなく円滑にスライドする。したがって、位置調整を容易に行える。
【００２６】
なお、一実施形態の生体情報測定装置では、
上記第１板枠部材、上記第２板枠部材は、それぞれその部材を板面に対して貫通する第１開口部、第２開口部を有し、
上記第２プレート部が上記第１プレート部の外面に重なり、かつ、上記本体の内面、上記バックルの上記第１板枠部材および上記第２板枠部材が重なるように折り畳まれた装着状態で、上記第１板枠部材の第１開口部と上記第２板枠部材の第２開口部とが上記本体の厚さ方向に連なるのが望ましい。
【００２７】
この一実施形態の生体情報測定装置では、上記装着状態で、上記第１板枠部材の第１開口部と上記第２板枠部材の第２開口部とが上記本体の厚さ方向に連なるので、本体の内側に被測定部位を圧迫するための流体袋を配置する構成が可能となる。これにより、本体の内側に位置する被測定部位を圧迫する。
【発明の効果】
【００２８】
以上より明らかなように、この開示の生体情報測定装置によれば、上述のバックルを備えたタイプの生体情報測定装置であって、第２板枠部材の他端部とベルトの先端部との位置調整について改善できる。
【図面の簡単な説明】
【００２９】
【図１Ａ】本発明の一実施形態に係る生体情報測定装置の展開状態での外観を示す上面図である。
【図１Ｂ】上記生体情報測定装置を図１ＡにおけるＢ−Ｂ線に沿って切断したときの縦断面図である。
【図１Ｃ】上記生体情報測定装置を図１ＡにおけるＡ−Ａ線に沿って切断したときの縦断面図である。
【図１Ｄ】図１Ｃにおける生体情報測定装置の本体の一部を拡大して示す図である。
【図２】上記生体情報測定装置の底面図である。
【図３】上記生体情報測定装置を環状に構成したときの状態を示す斜視図である。
【図４】図３の生体情報測定装置をベルトの環に対して垂直な方向（側方）から見たところを示す図である。
【図５】上記生体情報測定装置の構造を説明するための分解斜視図である。
【図６Ａ】上記生体情報測定装置をなすバックルの構成を示す斜視図である。
【図６Ｂ】上記バックルが折り畳まれた状態を側方から見たところを示す図である。
【図６Ｃ】上記バックルをなす第１板枠部材と第２板枠部材とが開かれ、かつ、上記バックルをなす第１プレート部に対して第２プレート部が開かれた状態を示す斜視図である。
【図７Ａ】上記生体情報測定装置の装着に役立つベルト長さガイド部材の構成を示す図である。
【図７Ｂ】上記ベルト長さガイド部材の使い方を説明する図である。
【図８Ａ】上記生体情報測定装置を手首に装着する手順を説明する図である。
【図８Ｂ】上記生体情報測定装置を手首に装着する手順を説明する図である。
【図８Ｃ】上記生体情報測定装置を手首に装着する手順を説明する図である。
【図８Ｄ】上記生体情報測定装置を手首に装着する手順を説明する図である。
【図８Ｅ】上記生体情報測定装置を手首に装着する手順を説明する図である。
【図８Ｆ】上記生体情報測定装置を手首に装着する手順を説明する図である。
【図８Ｇ】上記生体情報測定装置を手首に装着する手順を説明する図である。
【図８Ｈ】上記生体情報測定装置を手首に装着後、ユーザが生体情報測定の指示を入力する動作を説明する図である。
【図９】上記生体情報測定装置の内部の制御系の構成を概略的に示すブロック図である。
【図１０】上記生体情報測定装置が実行する血圧測定処理を示すフローチャートである。
【発明を実施するための形態】
【００３０】
以下、この発明の実施の形態を、図面を参照しながら詳細に説明する。
【００３１】
（装置の全体構成）
図１Ａは本発明の一実施形態に係る生体情報測定装置１の展開状態での外観を示す上面図であり、図１Ｂは図１ＡのＢ−Ｂ線に沿って切断したときの生体情報測定装置１の縦断面図であり、図１Ｃは図１ＡのＡ−Ａ線に沿って切断したときの生体情報測定装置１の縦断面図である。図１Ｄは、図１Ｃにおける生体情報測定装置１の本体１０の一部を拡大して示す断面図である。また、図２は図１の生体情報測定装置１の底面図である。図３は図１の生体情報測定装置１を環状に構成したときの状態を示す斜視図であり、図４は図３の生体情報測定装置１をベルト２０の環に対して垂直な方向（側方）から見たところを示す図である。この生体情報測定装置１は、例えばユーザの手首９０（図８Ｆ〜図８Ｈ参照）のような棒状の被測定部位を取り巻いて装着され、血圧その他の生体情報を測定するための装置である。
【００３２】
図３、図４によって分かるように、生体情報測定装置１は、被測定部位を取り巻くべき帯状のベルト２０と、ベルト２０の長手方向に関して基端部ａに配置された、血圧を測定する要素を搭載した本体１０と、ベルト２０が環状になるように、ベルト２０の長手方向に関して基端部ａと反対側の先端部ｂとを連結するためのバックル３０とを備えている。この例では、ベルト２０は血圧測定用カフとしての役割を担う。本体１０には、表示器５０と、操作部５２の一部をなす電源スイッチ５２Ａとが搭載されている。
【００３３】
（ベルトの構成）
図２によって分かるように、ベルト２０の内面側には、このベルト２０の長手方向に沿って、血圧測定時に被測定部位を圧迫するための流体袋２２が設けられている。図１Ｂによって分かるように、ベルト２０は、流体袋２２と、流体袋２２の外面に沿って設けられ、この流体袋２２の外側への膨張を抑制するための補強層２３と、補強層２３の外面に沿って設けられ、この補強層２３を被覆する外周層２４とを含む。従って、流体袋２２の外側への膨張を抑制することができるので、被測定部位に対する圧迫効率を向上させることができ、血圧の測定精度をより高めることができる。一方、流体袋２２の表面（装着時に内面となる）は、長手方向に沿って複数の凹凸を有し、被測定部位側へ容易に膨張できるようになっている。
【００３４】
また、ベルト２０を構成する流体袋２２、補強層２３、外周層２４はそれぞれエラストマー材料で形成されている。そのため、ベルト２０は可撓性を有するので、手首９０に巻き付けることが可能となりかつ汚れにくく水拭きが可能となる。
【００３５】
さらに、補強層２３の硬度、外周層２４の硬度、及び流体袋２２の硬度の順に小さくなる。従って、流体袋２２が膨張するときに補強層２３が流体袋２２の外側への膨張を抑制することができるので、被測定部位に対する圧迫効率を向上させることができる。従って、血圧の測定精度をより高めることができる。さらに、補強層２３の外周に補強層２３の硬度よりも小さい硬度を有する外周層２４を被覆するので、ユーザがベルト２０の外周層２４を手に触れても柔らかい。
【００３６】
図１Ａ、図１Ｃによって分かるように、ベルト２０の長手方向に関して本体１０が配置された基端部ａとは異なる部位（この例では略中央部）に、操作部の一部をなす、生体情報測定の指示を入力するための血圧測定スイッチ５２Ｂが配置されている。また、図５（分解図）中に示すように、流体袋２２と補強層２３との間に、本体１０と血圧測定スイッチ５２Ｂとを電気的に接続するＦＰＣケーブル５４が介挿されている。このように、本体１０と血圧測定スイッチ５２ＢとがＦＰＣケーブル５４によって電気的に接続されているので、ベルト２０を薄厚に構成できる。なお、本実施形態では、ベルト２０の長手方向に関して略中央部に操作部（この例では、血圧測定スイッチ５２Ｂ）のみが配置されているが、本発明はこれに限定されず、通信部、表示部が配置されてもよい。
【００３７】
図１Ａ、図１Ｂ及び図５によって分かるように、ベルト２０の先端部ｂの外面には、このベルト２０の幅方向に関して中央部に、断面凹状の溝２６が長手方向に沿って延在して設けられている。この溝２６の底に、ベルト２０の先端部ｂの位置調節用の、１〜１０までの数字を表したマークＭが設けられている（後述の図８Ａ〜図８Ｅ参照）。このベルト２０の先端部ｂの外面のうち、幅方向に関して溝２６の両側に相当する部分には、第２固定要素としての凹状の形状をもつ複数の被係合部２５，２５，…が設けられている。この例では、被係合部２５は、幅方向に関して、溝２６の両側に２個ずつ、計４個並べて配置されている。これらの４個の被係合部２５が、このベルト２０の長手方向に沿って、複数（この例では、多数）並べて配置されている。これにより、ベルト２０の長手方向に関して第２板枠部材３０ｂの他端部ｈの取り付け位置を調整可能になる。また、図２によって分かるように、ベルト２０の基端部ａの内面側（または、バックル３０をなす後述の第１板枠部材３０ａの一端部ｄでもよい。）には、第２ロック要素としての磁石３３が備えられている。これらの要素の働きについては、後述する。
【００３８】
（バックルの構成と機能）
図６Ａ〜図６Ｃは、バックル３０の構成を示している。図６Ａはバックル３０が約３０°程度開かれた状態、図６Ｂはバックル３０が閉じられた状態、図６Ｃはバックル３０が１８０°を超えて開かれた状態にそれぞれ相当している。
【００３９】
バックル３０は、この例ではベルト２０の基端部ａの内面側で、ベルト２０の長手方向に対して交差する軸ｃの周りに回動可能に一端部ｄで取り付けられた第１板枠部材３０ａを備え、この第１板枠部材３０ａは一端部ｄから反対側の他端部ｅへ板状に湾曲して延在する。第１板枠部材３０ａは一端部ｄ近傍に、幅方向にまたがる梁部３０ａ１を有する。この梁部３０ａ１によって、バックル３０（第１板枠部材３０ａ）の剛性を高めることができる。また、バックル３０は、第１板枠部材３０ａの他端部ｅに、軸ｃと平行な軸ｆの周りに回動可能に取り付けられた第２板枠部材３０ｂを備え、この第２板枠部材３０ｂは一端部ｇから反対側の他端部ｈへ板状に湾曲して延在する。後述するように、この第２板枠部材３０ｂの他端部ｈがベルト２０の先端部ｂに取り付け可能に構成されている。
【００４０】
第１板枠部材３０ａ、第２板枠部材３０ｂは、それぞれその部材を板面に対して貫通する第１開口部ＯＰ１、第２開口部ＯＰ２を有する。ここで、本体１０の内面、バックル３０の第１板枠部材３０ａおよび第２板枠部材３０ｂが重なるように折り畳まれた状態では、第１板枠部材３０ａの第１開口部ＯＰ１と第２板枠部材３０ｂの第２開口部ＯＰ２とが本体１０の厚さ方向に連なる。
【００４１】
従って、本体１０の内側に被測定部位を圧迫するように流体袋２２を配置する構成が可能となる。
【００４２】
第１開口部ＯＰ１は第１板枠部材３０ａの他端部ｅ側へ向かって開くとともに、第２開口部ＯＰ２は第２板枠部材３０ｂの一端部ｇ側へ向かって開いて、第１開口部ＯＰ１と第２開口部ＯＰ２とが連通している。つまり、第１板枠部材３０ａと第２板枠部材３０ｂとは、略コの字状に形成され、互いに開口部が開いた側で連結されている。既述の流体袋２２は、バックル３０が折り畳まれた状態で、第１開口部ＯＰ１と第２開口部ＯＰ２とに対応する領域を通して本体１０内に連通している。
【００４３】
この構成により、被測定部位としての手首９０のうち、周方向に関して、本体１０の内側に対応する部分からベルト２０の先端部ｂへ向かって空間的に連続した領域を、流体袋２２で圧迫することができる。従って、流体袋２２と被測定部位との接触する面積をより大きくすることができるので、動脈への圧迫効率を向上させることができる。従って、血圧の測定精度をより高めることができる。
【００４４】
また、図１Ｂ、図１Ｃおよび図２によって分かるように、流体袋２２は、長手方向に沿って、ベルト２０の先端部ｂまで延在する。そして、本体１０の内面、バックル３０の第１板枠部材３０ａおよび第２板枠部材３０ｂが重なるように折り畳まれた状態で、本体１０の流体袋２２が連通する部分はベルト２０の流体袋２２が延在する部分とオーバーラップする。
【００４５】
この構成により、ベルト２０のうち長手方向に関して上記オーバーラップする領域は本体１０のそれ以外の領域の厚さ分よりも大きい厚さ分だけ膨張する。従って、手首９０に存する動脈がオーバーラップする領域以外の領域によって押されて逃げる距離が少なくなって、動脈を押しつぶすための余計な加圧量が減る。この結果、上記流体袋の加圧によって測定された血圧の測定値を真の値に近づけることができ、測定精度を高めることができる。なお、この動脈を押しつぶすための余計な加圧量を減らすことができる効果は、バックル３０において、第１板枠部材３０ａの第１開口部ＯＰ１と第２板枠部材３０ｂの第２開口部ＯＰ２とが省略された場合にも得られる。
【００４６】
図６Ｃに示すように、バックル３０は、第２板枠部材３０ｂの他端部ｈに、幅方向にまたがって、この第２板枠部材３０ｂに一体に固定された板状の第１プレート部３５と、軸ｃ，ｆと平行な、他端部ｈの最先端に位置する回動軸ｊの周りを、矢印ｋで示すように回動可能に設けられた板状の第２プレート部３６とを備えている。
【００４７】
第１プレート部３５は、幅方向に関して中央部に、第２板枠部材３０ｂが延在する方向に少し突出した島部３５ａを有している。この島部３５ａの外面のうち他端部ｈの最先端に相当する部分（この例では、バックル３０が折り畳まれた状態で、図２中に示した第２ロック要素としての磁石３３に対応する部分）に、第１ロック要素としての金属製の突起部３１が設けられている。また、図６Ｃによって分かるように、第１プレート部３５の一端部ｇに近い側の端辺３５ｂの特定部分としての中央部に、厚さ方向に関して上方（図６Ｂ、図６Ｃにおいて）へ向かって断面Ｌ字状（図６Ｂ参照）に突起した第１係合用突片３５ｃが設けられている。
【００４８】
図６Ｃによって分かるように、第２プレート部３６は、第１プレート部３５の外面に重なったとき、第１プレート部３５を越えて一端部ｇの側へ延在するはみ出し部分３６ｈを有している。はみ出し部分３６ｈのうち、第１プレート部３５の外面に重なったとき内面となる側に、第１固定要素としての凸状の形状である係合部３２が設けられている。この例では、係合部３２は、幅方向に関して、ベルト２０の先端部ｂの外面に設けられた既述の被係合部２５（例えば、図１Ａ参照）に対応するように、幅方向に関して両側に２個ずつ、計４個並べて配置されている。この例では、はみ出し部分３６ｈのうち、それぞれ２個の係合部３２が設けられている２つの領域３６ｉ，３６ｉは、板材の強度を増すために、例えばプレス加工によって、上方（図６Ｃにおいて）へ僅かに隆起されている（第２プレート部３６の反対側の面では、例えば図８Ａ中に符号３６ｉ′で示すように、この領域３６ｉは窪みになっている。）。４個の係合部３２は、第２プレート部３６が第１プレート部３５の外面に重なった状態では、図６Ｂ、図１Ｄ中に示すように、第２板枠部材３０ｂよりも下方（図６Ｂ、図１Ｄにおいて）へ突出する。したがって、４個の係合部３２は、ベルト２０の先端部ｂの外面に設けられた４個の被係合部２５と係合し得る。これにより、図３、図４に示したように、第２板枠部材３０ｂとベルト２０の先端部ｂとを係合して、ベルト２０を環状にすることができる。なお、第２プレート部３６が第１プレート部３５の外面に重なった状態で、係合部３２が下方へ突出する寸法は、凹状の被係合部２５の底に当接して押圧する寸法に設定されている。
【００４９】
図６Ｃによって分かるように、第２プレート部３６のうち、第１プレート部３５の外面と重なったとき上述の突起部３１に対応する部分には、この例では切り欠き（または、開口でもよい。）３６ｄが設けられている。これにより、第２プレート部３６が、回動軸ｊの周りに回動されて第１プレート部３５の外面に重なったとき、突起部３１と干渉するのを避けることができる。この結果、後述のように、本体１０の内面、バックル３０の第１板枠部材３０ａおよび第２板枠部材３０ｂが重なるように折り畳まれた状態で、第２プレート部３６の切り欠き３６ｄを通して、第１ロック要素としての突起部３１と第２ロック要素としての磁石３３とが互いに吸着および／または係合することができる。
【００５０】
また、第２プレート部３６のはみ出し部分３６ｈの最先端をなす端辺３６ａの中央部に、第２プレート部３６を回動軸ｊの周りに回動させるための操作用突起３６ｓが設けられている。この例では、操作用突起３６ｓは、第２プレート部３６の外面側へ屈曲して突出している。これにより、ユーザが第２プレート部３６の操作用突起３６ｓに指を掛けることによって、第２プレート部３６を回動軸の周りに容易に回動させることができる。
【００５１】
また、図６Ｃによって分かるように、第２プレート部３６のうち上述の第１係合用突片３５ｃに対応する部分に、厚さ方向に関して上方（図６Ｂでは下方）へ向かって断面円弧状に突起した第２係合用突片３６ｃ（図６Ｂ参照）が設けられている。これにより、第２プレート部３６が回動軸ｊの周りに回転されて第１プレート部３５の外面に重なるとき、厚さ方向に関して第２係合用突片３６ｃと第１係合用突片３５ｃとが重なって係合し得る。詳しくは、第２プレート部３６が回動軸ｊの周りに回転されて第１プレート部３５の外面に重なるとき、まず、図６Ｂ中に示す第２係合用突片３６ｃの「円弧」が第１係合用突片３５ｃの「Ｌ字」の上半分３５ｃ１に当接する。さらに、第２プレート部３６がさらに回動軸ｊの周りに下方（図６Ｂにおいて）へ回転されると、第２係合用突片３６ｃの「円弧」が第１係合用突片３５ｃの「Ｌ字」の頂点３５ｃ２を乗り越えて、「Ｌ字」の下半分３５ｃ３に当接する状態になる。これにより、厚さ方向に関して第２係合用突片３６ｃと第１係合用突片３５ｃとが重なって係合する。この係合状態では、第２プレート部３６は、不用意に第１プレート部３５に対して開くことがない。したがって、第２プレート部３６が第１プレート部３５の外面に重なった状態では、４個の係合部３２が第２板枠部材３０ｂよりも下方へ突出した状態が維持される。
【００５２】
さらに、第２プレート部３６が第１プレート部３５の外面に重なった状態では、バックル３０の第１板枠部材３０ａおよび第２板枠部材３０ｂが重なるように折り畳まれるとき、第２プレート部３６が第１板枠部材３０ａ側から力を受けたとしても、その力によって、第２プレート部３６は下方、すなわち、ベルト２０の先端部ｂへ押し付けられる向きに回転しようとする。したがって、バックル３０が折り畳まれるときに、第２プレート部３６は、不用意に第１プレート部３５に対して開くことがない。また、後述の血圧測定時にベルト２０の流体袋２２が加圧されて、第２プレート部３６が本体１０とベルト２０との間で力を受けるとき、その力によって、第２プレート部３６はベルト２０の先端部ｂへ押し付けられる向きに回転しようとする。したがって、ベルト２０の流体袋２２が加圧されるときに、第２プレート部３６は、不用意に第１プレート部３５に対して開くことがない。なお、仮に第２プレート部３６の回動の向きがこの例とは逆であれば、バックル締結時または加圧時に、第２プレート部３６が不用意に第１プレート部３５に対して開いてしまう可能性がある。
【００５３】
図６Ｂに示すように、第２プレート部３６の第２係合用突片３６ｃは、厚さ方向に関して下方、すなわち、ベルト２０の先端部ｂが配される側へ向かって突起している。したがって、図１Ｄによって分かるように、第２係合用突片３６ｃが、第１板枠部材３０ａの梁部３０ａ１と併せて、本体１０側と干渉するのを避け得る構成になっている。一方、既述のように、ベルト２０の先端部ｂの外面には、幅方向に関して中央部（すなわち、第１係合用突片３５ｃおよび第２係合用突片３６ｃと対応する部分）に、断面凹状の溝２６が長手方向に沿って延在して設けられている。したがって、この断面凹状の溝２６によって、ベルト２０の外面と第１係合用突片３５ｃおよび第２係合用突片３６ｃとの干渉が避けられる。この結果、この生体情報測定装置１のうち本体１０、バックル３０およびベルト２０が重なる部分の厚さを全体として低減することが可能になる。
【００５４】
また、この断面凹状の溝２６によって、第２プレート部３６が第１プレート部３５の外面に重なった状態での、第２プレート部３６の操作用突起３６ｓとベルト２０の先端部ｂの外面との間の厚さ方向の隙間が、広くなる。したがって、ユーザが第２プレート部３６の操作用突起３６ｓに指を引っ掛け易くなる。
【００５５】
なお、この例では、第１プレート部３５、第２プレート部３６のそれぞれ幅方向に関して特定部分としての中央部に第１係合用突片３５ｃ、第２係合用突片３６ｃを配置し、それに応じて、ベルト２０の外面のうち幅方向に関して中央部に断面凹状の溝２６を配置しているが、これに限られるものではない。それらの要素を、幅方向に関して中央部以外の部分に、例えば、中央部と一方の縁部との間、中央部と他方の縁部との間に一対ずつ配置してもよい。
【００５６】
また、図６Ａによって分かるように、第２板枠部材３０ｂの他端部ｈの幅方向に関して両側に、断面Ｌ字状の一対のフック部３４，３４が設けられている。各フック部３４は、第２板枠部材３０ｂに対して垂直に下方（図６Ａにおいて）へ板状に延在する側板部３４ａと、この側板部３４ａの下端から幅方向に関して中央側へ延在する先端板部３４ｂとを有している。各側板部３４ａの上下方向寸法は、ベルト２０の厚さ寸法よりも若干大きく設定されている。側板部３４ａ，３４ａの間の間隔は、ベルト２０の幅寸法よりも若干大きく設定されている。フック部３４，３４は、ベルト２０の先端部ｂが第２板枠部材３０ｂの内面に沿って挿入されるのを許容するとともに第２板枠部材３０ｂの内面から離間するのを規制する。これにより、第２プレート部３６が第１プレート部３５に対して開いた状態で、ユーザが第２板枠部材３０ｂの内面に沿ってベルト２０の先端部ｂを長手方向にスライドさせて、第２板枠部材３０ｂの他端部ｈとベルト２０の先端部ｂとの位置調整を行う際に、第２板枠部材３０ｂの内面からベルト２０の先端部ｂが離間することなく円滑にスライドする。
【００５７】
（装着手順）
図８Ａ〜図８Ｇは、ユーザが生体情報測定装置１を手首に装着する手順を示している。
この例では、装着に先だって、ユーザは、図７Ａに示すような、ベルト長さガイド部材２００を用意するものとする。このベルト長さガイド部材２００は、円形状の頭部２００ａと、この頭部２００ａに連なって細長く延在する帯状部分２００ｂとを備えている。頭部２００ａには、帯状部分２００ｂを通して、ベルト長さガイド部材２００を輪状にするためのスリット２００ｓが形成されている。帯状部分２００ｂの外面には、既述のベルト２０の溝２６の底に設けられたマークＭに相当する位置に、１〜１０までの数字を表したマーク２００ｍが対応して設けられている。図７Ｂに示すように、ユーザは、ベルト長さガイド部材２００の環に手首９０を通した状態にして、手首９０の周囲長に丁度合うように、ベルト長さガイド部材２００の環の長さを設定する。ここで、ユーザは、スリット２００ｓの直近のマーク２００ｍの数字（この例では、「５」である。これは、頭部２００ａに表示された矢印２００ｙによって指し示されている。）を、確認して覚えておく。
【００５８】
（ａ）  第２板枠部材３０ｂの他端部ｈとベルト２０の先端部ｂとの位置調整
装着に際して、図８Ａ〜図８Ｂに示すように、本体１０とバックル３０の第１板枠部材３０ａと第２板枠部材３０ｂとが互いに開いた状態で、ユーザは、第２プレート部３６の操作用突起３６ｓに指を掛けることによって、矢印ｐで示すように第２プレート部３６を回動軸ｊの周りに回転させる。これによって、第２プレート部３６を第１プレート部３５に対して開いた状態（重なっていない状態）にする。これとともに、第２板枠部材３０ｂの一対のフック部３４，３４の間にベルト２０の先端部ｂを挿入し、第２板枠部材３０ｂの内面に沿ってベルト２０の先端部ｂを配する。この状態では、第２板枠部材３０ｂの他端部ｈとベルト２０の先端部ｂとは固定されていない。しかも、フック部３４，３４は、ベルト２０の先端部ｂが第２板枠部材３０ｂの内面から離間するのを規制する。したがって、ユーザは第１プレート部３５の内面に沿ってベルト２０の先端部ｂを長手方向にスライドさせることができ、第２板枠部材３０ｂの他端部ｈとベルト２０の先端部ｂとの位置調整を容易に行うことができる。ここで、図８Ｃに示すように、第１プレート部３５の第１係合用突片３５ｃの位置を、ベルト２０の溝２６の底に設けられたマークＭのうち適切な数字（この例では、ベルト長さガイド部材２００によって得られた「５」）に合わせる。このように、位置調節用のマークＭを基準として位置調整を行うので、正確に、再現性良く位置調整を行える。これにより、手首９０の周囲長に丁度合うように、ベルト２０の環の長さを可変して設定できる。
【００５９】
（ｂ）  第２板枠部材３０ｂの他端部ｈとベルト２０の先端部ｂとの取り付け
このようにして第２板枠部材３０ｂの他端部ｈとベルト２０の先端部ｂとの位置調整が終わると、続いて、図８Ｄに示すように、ユーザは、第２プレート部３６の操作用突起３６ｓに指を掛けることによって、矢印ｑで示すように第２プレート部３６が第１プレート部３５の外面に重なる向きに、第２プレート部３６を回動軸ｊの周りに回転させる。さらに、この例では、図８Ｅに示すように、両手で第２プレート部３６を押さえて、第１プレート部３５に対して閉じる。すると、第２プレート部３６の内面に設けられた第１固定要素としての４個の係合部３２が、ベルト２０の先端部ｂの外面に長手方向に沿って多数並べて配置された第２固定要素としての被係合部２５，２５，…のうち対応するもの（丁度合うもの）と係合する。これにより、第２板枠部材３０ｂの他端部ｈがベルト２０の先端部ｂに取り付けられる。このとき、第１プレート部３５の第１係合用突片３５ｃと、第２プレート部３６の第２係合用突片３６ｃとが、厚さ方向に関して重なって係合する（図６Ｂ、図１Ｄ参照）。したがって、第２プレート部３６が不用意に第１プレート部３５に対して開くことがなく、第２板枠部材３０ｂの他端部ｈとベルト２０の先端部ｂとの係合が維持される。これにより、第２板枠部材３０ｂの他端部ｈとベルト２０の先端部ｂとの位置ずれが防止される。また、このように第２プレート部３６が第１プレート部３５の外面に重なった状態では、既述のように、第２プレート部３６の内面に設けられた係合部３２がベルト２０の先端部ｂの外面に設けられた被係合部２５の底に当接して押圧する。この結果、ベルト２０の両縁が第２板枠部材３０ｂのフック部３４，３４の先端板部３４ｂ，３４ｂに当接して押圧する。これにより、ベルト２０の両縁と第２板枠部材３０ｂのフック部３４，３４の先端板部３４ｂ，３４ｂとの間の隙間が無くなって、第２板枠部材３０ｂの他端部ｈからベルト２０の先端部ｂが外れ難くなる。
【００６０】
（ｃ）  バックル３０の折り畳み
この後、図８Ｆに示すように、ベルト２０が環状になっており、かつ、本体１０とバックル３０の第１板枠部材３０ａと第２板枠部材３０ｂとが互いに開いた状態で、ユーザがベルト２０の環に手を通す。続いて、ユーザは、本体１０を手首９０側に近づけて本体１０の内面、バックル３０の第１板枠部材３０ａおよび第２板枠部材３０ｂが重なるように折り畳んでいく。すると、図８Ｇに示すように、第２プレート部３６の切り欠き３６ｄを通して、第１ロック要素としての突起部３１と第２ロック要素としての磁石３３とが互いに吸着および／または係合する（図１Ｄ参照）。これにより、バックル３０が不用意に開いてしまう事態が防止される。このようにして、ユーザは生体情報測定装置１を容易に手首に装着することができる（装着状態）。
【００６１】
この例では、被係合部２５は、ベルト２０の幅方向に沿って複数（この例では、４個）並べて形成されている。従って、ベルト２０が多少ねじられたとしても、係合部３２と被係合部２５との係合がはずれ難い。
【００６２】
この後、図８Ｈに示すように、ユーザが血圧測定スイッチ５２Ｂを押すと血圧の測定が開始される。
【００６３】
この例では、本体１０に、第１ロック要素としての突起部３１と第２ロック要素としての磁石３３との吸着および／または係合を解除するアンロック機構としてのリリースボタン１９（図１Ａ、図２、図５参照）が設けられている。図５に示すように、リリースボタン１９にはスライド板１９ａが一体に形成されている。このリリースボタン１９が本体１０内へ向かって押されると、スライド板１９ａが図６Ｂ中に示す第１板枠部材３０ａの一端部ｄと第２板枠部材３０ｂの他端部ｈとの間に楔のように入り込んで、突起部３１と磁石３３との吸着および／または係合を解除する。
【００６４】
なお、上の例では、第１固定要素として凸状の形状を用い第２固定要素として凹状の形状を用いたが、本発明はこれに限定されない。例えば、第１固定要素として凹状の形状を用い第２固定要素として凸状の形状を用いてもよい。この場合においても同様の効果を得ることができる。
【００６５】
また、上の例では、装着に先だって、ユーザは、ベルト長さガイド部材２００（図７Ａ、図７Ｂ）を用いて、手首９０の周囲長に丁度合うベルト長さガイド部材２００の環の長さを求めるものとした。しかしながら、これに限られるものではない。ユーザは、ベルト２０の先端部ｂの外面に設けられたマークＭを用いて、手首９０の周囲長に丁度合うマークＭの数字を確認し、覚えておいてもよい。
【００６６】
（装置の内部構成）
図９は、生体情報測定装置１の制御系の内部構成を概略的に示している。本体１０には、上述の表示器５０と操作部５２に加えて、ＣＰＵ（Ｃｅｎｔｒａｌ  Ｐｒｏｃｅｓｓｉｎｇ  Ｕｎｉｔ）１００と、メモリ５１と、電源部５３と、ピエゾ抵抗式の圧力センサ１６と、流体袋２２に流体としての空気を供給する圧電ポンプ（以下、「ポンプ」と呼ぶ。）１７と、ポンプ１７の吐出側の圧力（背圧）を調節するための弁１８と、圧力センサ１６からの出力を周波数に変換する発振回路１６０と、ポンプ１７を駆動するポンプ駆動回路１７０と、弁１８を駆動する弁駆動回路１８０とが搭載されている。圧力センサ１６、ポンプ１７、弁１８は、本体内部に設けられたエア配管３９とこのエア配管３９に嵌合して連通するニップル３８（図５参照）とを介して、ベルト２０に内包された流体袋２２と接続されている。これにより、圧力センサ１６、ポンプ１７、弁１８と、流体袋２２との間で、流体としての空気が流通するようになっている。
【００６７】
表示器５０は、ディスプレイおよびインジケータ等を含み、ＣＰＵ１００からの制御信号に従って所定の情報を表示する。
【００６８】
操作部５２では、電源スイッチ５２Ａは、電源部５３をオンオフする指示を受け付ける。血圧測定スイッチ５２Ｂは、血圧の測定開始の指示、および、メモリ５１に記憶された血圧値の測定結果のデータを表示器５０に表示させるための指示を受け付ける。これらのスイッチ５２Ａ、５２Ｂは、ユーザによる指示に応じた操作信号をＣＰＵ１００に入力する。
【００６９】
メモリ５１は、生体情報測定装置１を制御するためのプログラム、生体情報測定装置１の各種機能を設定するための設定データ、血圧値の測定結果のデータを記憶する。また、メモリ５１は、プログラムが実行されるときのワークメモリなどとして用いられる。
【００７０】
電源部５３は、ＣＰＵ１００、圧力センサ１６、ポンプ１７、弁１８、表示器５０、メモリ５１、発振回路１６０、ポンプ駆動回路１７０、および弁駆動回路１８０の各部に電力を供給する。
【００７１】
発振回路１６０は、圧力センサ１６からのピエゾ抵抗効果による電気抵抗の変化に基づく電気信号値に基づき発振して、圧力センサ１６の電気信号値に応じた周波数を有する周波数信号をＣＰＵ１００に出力する。
【００７２】
ＣＰＵ１００は、メモリ５１に記憶された生体情報測定装置１を制御するためのプログラムに従って圧力制御部として働いて、操作部５２からの操作信号に応じて、ポンプ駆動回路１７０を介してポンプ１７を駆動するとともに、弁駆動回路１８０を介して弁１８を駆動する制御を行う。弁１８は、流体袋２２の空気を排出し、または封入して背圧を制御するために開閉される。また、ＣＰＵ１００は、圧力センサ１６からの信号に基づいて、血圧値を算出し、表示器５０およびメモリ５１を制御する。
【００７３】
ポンプ１７は、ベルト２０に内包された流体袋２２内の圧力（カフ圧Ｐｃ）を加圧するために、流体袋２２に流体として空気を供給する。弁１８は、流体袋２２の空気を排出し、または封入してカフ圧Ｐｃを制御するために開閉される。ポンプ駆動回路１７０は、ポンプ１７をＣＰＵ１００から与えられる制御信号に基づいて駆動する。弁駆動回路１８０は、弁１８をＣＰＵ１００から与えられる制御信号に基づいて開閉する。
【００７４】
圧力センサ１６及び発振回路１６０は、カフ圧Ｐｃを検出する圧力検出部として動作する。圧力センサ１６は、例えば、ピエゾ抵抗式圧力センサであり、エア配管３９を介して、ポンプ１７、弁１８およびベルト２０に内包されている流体袋２２に接続されている。この例では、発振回路１６０は、圧力センサ１６からのピエゾ抵抗効果による電気抵抗の変化に基づく電気信号値に基づき発振して、圧力センサ１６の電気信号値に応じた周波数を有する周波数信号をＣＰＵ１００に出力する。
【００７５】
（血圧測定の動作）
以上のように構成された生体情報測定装置１の動作について以下に説明する。
【００７６】
図１０は、生体情報測定装置１が実行する血圧測定処理を示すフローチャートである。一般的なオシロメトリック法に従って血圧を測定する場合、概ね、次のような動作が行なわれる。すなわち、ユーザの被測定部位（手首など）に予めカフを巻き付けておき、測定時には、ポンプ及び弁を制御して、カフ圧Ｐｃを最高血圧より高く加圧し、その後徐々に減圧していく。この減圧する過程において、カフ圧Ｐｃを圧力センサで検出し、被測定部位の動脈で発生する動脈容積の変動を脈波信号として取り出す。その時のカフ圧Ｐｃの変化に伴う脈波信号の振幅の変化（主に立ち上がりと立ち下がり）に基づいて、最高血圧（収縮期血圧：Ｓｙｓｔｏｌｉｃ  Ｂｌｏｏｄ  Ｐｒｅｓｓｕｒｅ）と最低血圧（拡張期血圧：Ｄｉａｓｔｏｌｉｃ  Ｂｌｏｏｄ  Ｐｒｅｓｓｕｒｅ）とを算出する。
【００７７】
この生体情報測定装置１では、ＣＰＵ１００によって、図１０のフローに従ってオシロメトリック法によりユーザの血圧値が測定される。
【００７８】
具体的には、電源スイッチ５２ＡがＯＮされた状態で血圧測定スイッチ５２Ｂが押されると、図１０に示すように、生体情報測定装置１は血圧測定を開始する。血圧測定開始に際して、ＣＰＵ１００は、処理用メモリ領域を初期化し、弁駆動回路１８０に制御信号を出力する。弁駆動回路１８０は、制御信号に基づいて、弁１８を開放してベルト２０の流体袋２２内の空気を排気する。続いて、圧力センサ１６の０ｍｍＨｇの調整を行う制御を行う。
【００７９】
図１０において、血圧測定を開始すると、まず、ＣＰＵ１００は、弁駆動回路１８０を介して弁１８を閉鎖し、その後、ポンプ駆動回路１７０を介してポンプ１７を駆動して、流体袋２２に空気を送る加圧処理を行う。これにより、流体袋２２を膨張させるとともにカフ圧Ｐｃを徐々に加圧していく（ステップＳＴ１０１）。
【００８０】
カフ圧Ｐｃが加圧されて所定の圧力に達すると（ステップＳＴ１０２でＹＥＳ）、ＣＰＵ１００は、ポンプ駆動回路１７０を介してポンプ１７を停止し、その後、弁駆動回路１８０を介して弁１８を徐々に開放する制御を行う。これにより、流体袋２２を収縮させるとともにカフ圧Ｐｃを徐々に減圧していく（ステップＳＴ１０３）。
【００８１】
ここで、所定の圧力とは、ユーザの収縮期血圧よりも十分高い圧力（例えば、収縮期血圧＋３０ｍｍＨｇ）であり、予めメモリ５１に記憶されているか、カフ圧Ｐｃの加圧中にＣＰＵ１００が収縮期血圧を所定の算出式により推定して決定する（例えば特開２００１−７０２６３号公報参照。）。
【００８２】
また、減圧速度については、カフの加圧中に目標となる目標減圧速度を設定し、その目標減圧速度になるようにＣＰＵ１００が弁１８の開口度を制御する（同公報参照。）。
【００８３】
上記減圧過程において、ベルト２０を介して、カフ圧Ｐｃを圧力センサ１６が検出する。ＣＰＵ１００は、このカフ圧Ｐｃに基づいて、オシロメトリック法により後述のアルゴリズムを適用して血圧値（収縮期血圧と拡張期血圧）を算出する（ステップＳＴ１０４）。なお、血圧値の算出は、減圧過程に限らず、加圧過程において行われてもよい。
【００８４】
血圧値を算出して決定すると（ステップＳＴ１０５でＹＥＳ）、ＣＰＵ１００は、算出した血圧値を表示器５０へ表示し（ステップＳＴ１０６）、血圧値をメモリ５１へ保存する制御を行う（ステップＳＴ１０７）。
【００８５】
次に、ＣＰＵ１００は、弁駆動回路１８０を介して弁１８を開放し、ベルト２０の流体袋２２内の空気を排気する制御を行う（ステップＳＴ１０８）。
【００８６】
この後、上記電源スイッチ５２Ａが押されると、血圧測定を終了する。
【００８７】
この生体情報測定装置１では、図４に示したように、バックル３０によって、ベルト２０の基端部ａとベルト２０の先端部ｂとがオーバーラップした状態で、被測定部位としての手首９０に装着される。そのため、手の甲側の流体袋２２の膨張度合い、すなわち厚さ方向への流体袋２２の膨らみが大きくなるので脈波を精度良く検出することができる。したがって、血圧の測定精度が向上する。さらに、締結した状態でベルト２０の先端部ｂが飛び出さずに見栄えが良くなる。
【００８８】
この生体情報測定装置１によって、血圧値以外の、脈拍値、活動量、血中酸素濃度値などの様々な生体情報を測定してもよい。
【００８９】
この生体情報測定装置１を手首９０から取り外す場合は、ユーザは、バックル３０の第１板枠部材３０ａと第２板枠部材３０ｂとを開き、ベルト２０の環を大きくした状態で、ベルト２０から手首９０を取り出す。
【００９０】
２回目の以降の装着の際は、バックル３０の第１板枠部材３０ａと第２板枠部材３０ｂとを開いた状態で、ベルト２０の環に手首９０を通し、バックル３０を閉じればよい。したがって、ユーザは生体情報測定装置１を手首９０に容易に装着することができる。
【００９１】
万一、第２板枠部材３０ｂの他端部ｈがベルト２０の先端部ｂに対して、調整済みの位置から位置ずれしたとしても、この生体情報測定装置１では、ベルト２０の先端部ｂの外面にマークＭが設けられている。したがって、ユーザは、マークＭを基準として、第２板枠部材３０ｂの他端部ｈをベルト２０の先端部ｂの元の取付位置（調整済みの位置）に取り付けることができる。
【００９２】
また、マークＭは、ベルト２０の先端部ｂの外面に形成された断面凹状の溝２６の底に設けられている。したがって、この生体情報測定装置１の使用に伴って、ベルト２０の外面が外部と接触等したとしても、マークＭが剥がれてしまうような事態を避け得る。
【００９３】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【００９４】
１  生体情報測定装置
１０  本体
２０  ベルト
２５  被係合部
３０  バックル
３０ａ    第１板枠部材
３０ｂ  第２板枠部材
３１    突起部
３２    係合部
３３    磁石
３４    フック部
３５  第１プレート部
３５ｃ  第１係合用突片
３６  第２プレート部
３６ｃ  第２係合用突片
３６ｓ  操作用突起
【図１Ａ】
2019162249.tif 000003
【図１Ｂ】
2019162249.tif 000004
【図１Ｃ】
2019162249.tif 000005
【図１Ｄ】
2019162249.tif 000006
【図２】
2019162249.tif 000007
【図３】
2019162249.tif 000008
【図４】
2019162249.tif 000009
【図５】
2019162249.tif 000010
【図６Ａ】
2019162249.tif 000011
【図６Ｂ】
2019162249.tif 000012
【図６Ｃ】
2019162249.tif 000013
【図７Ａ】
2019162249.tif 000014
【図７Ｂ】
2019162249.tif 000015
【図８Ａ】
2019162249.tif 000016
【図８Ｂ】
2019162249.tif 000017
【図８Ｃ】
2019162249.tif 000018
【図８Ｄ】
2019162249.tif 000019
【図８Ｅ】
2019162249.tif 000020
【図８Ｆ】
2019162249.tif 000021
【図８Ｇ】
2019162249.tif 000022
【図８Ｈ】
2019162249.tif 000023
【図９】
2019162249.tif 000024
【図１０】
2019162249.tif 000025